(57)【要約】【課題】簡単、且つ、直感的に操作すること。【解決手段】表示部１０１と、タッチ操作を検出する第１タッチセンサ１０３と、タッチ操作を検出する第２タッチセンサ１０４と、第１タッチセンサ１０３へのタッチ操作を検出することにより第１処理を行い、第１タッチセンサ１０３へのタッチ操作を検出し、且つ、第２タッチセンサ１０４へのタッチ操作を検出することにより、第１処理に代えて第１処理と関連性を有する第２処理を行う処理部１１４とを備え、処理部１１４は、第２タッチセンサ１０４へのタッチ操作によりオブジェクトを指定しながら、第１タッチセンサ１０３による表示部１０１におけるオブジェクトを移動させるタッチ操作に基づいてオブジェクトを移動させる。【選択図】図１
2014222379.tif 000002
【特許請求の範囲】
【請求項１】
表示部と、
タッチ操作を検出する第１タッチセンサと、
タッチ操作を検出する第２タッチセンサと、
前記第１タッチセンサへのタッチ操作を検出することにより第１処理を行い、前記第１タッチセンサへのタッチ操作を検出し、且つ、前記第２タッチセンサへのタッチ操作を検出することにより、前記第１処理に代えて前記第１処理と関連性を有する第２処理を行う処理部と
を備え、
前記処理部は、前記第２タッチセンサへのタッチ操作によりオブジェクトを指定しながら、前記第１タッチセンサによる前記表示部における前記オブジェクトを移動させるタッチ操作に基づいて前記オブジェクトを移動させる
ことを特徴とする情報端末。
【請求項２】
前記処理部は、前記第２タッチセンサへの特定のタッチ操作により前記第２処理に代えて或いは前記第２処理に加えて第３処理を行う
ことを特徴とする請求項１に記載の情報端末。
【請求項３】
前記第３処理は、スクロールエンドまでのスクロール量の変更である
ことを特徴とする請求項２に記載の情報端末。
【請求項４】
前記第３処理は、特別なシークレットデータの表示である
ことを特徴とする請求項２に記載の情報端末。
【請求項５】
前記処理部は、前記第２タッチセンサにより特定領域を指定しながら、前記表示部における前記第１タッチセンサのスクロールにより、前記特定領域内でスクロールする
ことを特徴とする請求項１から４のいずれかに記載の情報端末。
【請求項６】
前記処理部は、前記第２タッチセンサによりスクロールバーの位置を指定しながら、前記第１タッチセンサのスクロールにより前記第２タッチセンサの指定した位置までスクロールする
ことを特徴とする請求項１から５のいずれかに記載の情報端末。
【請求項７】
情報端末に有する表示部の第１タッチセンサへのタッチ操作を検出することにより第１処理を行い、前記第１タッチセンサへのタッチ操作を検出し、且つ、前記情報端末に有する第２タッチセンサへのタッチ操作を検出することにより、前記第１処理に代えて前記第１処理と関連性を有する第２処理を行うとともに、前記第２タッチセンサへのタッチ操作によりオブジェクトを指定しながら、前記第１タッチセンサによる前記表示部における前記オブジェクトを移動させるタッチ操作に基づいて前記オブジェクトを移動させる処理段階
を備えることを特徴とするタッチ操作処理方法。
【請求項８】
コンピュータを、
情報端末に有する表示部の第１タッチセンサへのタッチ操作を検出することにより第１処理を行い、前記第１タッチセンサへのタッチ操作を検出し、且つ、前記情報端末に有する第２タッチセンサへのタッチ操作を検出することにより、前記第１処理に代えて前記第１処理と関連性を有する第２処理を行うとともに、前記第２タッチセンサへのタッチ操作によりオブジェクトを指定しながら、前記第１タッチセンサによる前記表示部における前記オブジェクトを移動させるタッチ操作に基づいて前記オブジェクトを移動させる処理部
として機能させることを特徴とするプログラム。
【発明の詳細な説明】
【技術分野】
【０００１】
本発明は、情報端末、タッチ操作処理方法及びプログラムに関する。
【背景技術】
【０００２】
近年は、携帯電話等の携帯型情報処理端末が普及している。
【０００３】
このような背景に関連する技術としては、様々なものが知られている（例えば、特許文献１参照。）。
【０００４】
例えば、特許文献１には、携帯型情報処理端末による入力受付方法が記載されている。より具体的に説明すると、携帯型情報処理端末は、タッチパネルの表面を手前にして手で持った場合、ユーザの人差し指を操作キー上に位置させる。タッチセンサは、タップやダブルタップを検出する。操作キーは、連続接触操作や、連続半押し操作や、連続全押し操作を行うことによりベクトル情報を入力する。このように、この携帯型情報処理端末によっては、操作性を向上できる。
【０００５】
また、ゲーム機の操作を両手の指で行う技術がある。
【０００６】
このような背景に関連する技術としては、様々なものが知られている（例えば、特許文献２参照。）。
【０００７】
例えば、特許文献２には、本体の前面に配置されたタッチパネルと、本体の背面に配置されたタッチパッドとを備えるテレビゲーム用の端末装置が記載されている。より具体的に説明すると、端末装置は、本体の横持ち状態において、親指で表面のタッチパネルを操作し、他の指で裏面のタッチパッドを操作する。このように、この端末装置によっては、入力操作性を良好とし、多様な操作入力に対応可能である。
【先行技術文献】
【特許文献】
【０００８】
【特許文献１】国際公開第２０１１／１４５３０４号
【特許文献２】特開２０１２−００３３０５号公報
【発明の概要】
【発明が解決しようとする課題】
【０００９】
特許文献１、２に記載の技術によっては、オブジェクトの移動と画面スクロールの使い分け、全画面スクロールと一部画面スクロールの使い分けを簡単に行うことができない。これらの使い分けを一つのタッチセンサでやるには、使い分けそれぞれについて操作方法を決める必要がある。しかしながら、ユーザは、操作方法が直感的でない場合、その方法を覚えていられないことが多い。また、ユーザは、操作方法が増えると、特にモバイル機器の場合は、操作が困難になりがちで、両手を使わざるを得ない場合もある。このように、特許文献１、２に記載の技術によっては、簡単、且つ、直感的に操作することができない。
【００１０】
本発明の目的は、上述した課題を解決する情報端末、タッチ操作処理方法及びプログラムを提供することにある。
【課題を解決するための手段】
【００１１】
上記課題を解決するために、本発明の第１の形態によると、情報端末であって、表示部と、タッチ操作を検出する第１タッチセンサと、タッチ操作を検出する第２タッチセンサと、第１タッチセンサへのタッチ操作を検出することにより第１処理を行い、第１タッチセンサへのタッチ操作を検出し、且つ、第２タッチセンサへのタッチ操作を検出することにより、第１処理に代えて第１処理と関連性を有する第２処理を行う処理部とを備え、処理部は、第２タッチセンサへのタッチ操作によりオブジェクトを指定しながら、第１タッチセンサによる表示部におけるオブジェクトを移動させるタッチ操作に基づいてオブジェクトを移動させる。
【００１２】
本発明の第２の形態によると、タッチ操作処理方法であって、情報端末に有する表示部の第１タッチセンサへのタッチ操作を検出することにより第１処理を行い、第１タッチセンサへのタッチ操作を検出し、且つ、情報端末に有する第２タッチセンサへのタッチ操作を検出することにより、第１処理に代えて第１処理と関連性を有する第２処理を行うとともに、第２タッチセンサへのタッチ操作によりオブジェクトを指定しながら、第１タッチセンサによる表示部におけるオブジェクトを移動させるタッチ操作に基づいてオブジェクトを移動させる処理段階を備える。
【００１３】
本発明の第３の形態によると、プログラムであって、コンピュータを、情報端末に有する表示部の第１タッチセンサへのタッチ操作を検出することにより第１処理を行い、第１タッチセンサへのタッチ操作を検出し、且つ、情報端末に有する第２タッチセンサへのタッチ操作を検出することにより、第１処理に代えて第１処理と関連性を有する第２処理を行うとともに、第２タッチセンサへのタッチ操作によりオブジェクトを指定しながら、第１タッチセンサによる表示部におけるオブジェクトを移動させるタッチ操作に基づいてオブジェクトを移動させる処理部として機能させる。
【００１４】
なお、上記の発明の概要は、本発明の必要な特徴の全てを列挙したものではない。また、これらの特徴群のサブコンビネーションもまた、発明となり得る。
【発明の効果】
【００１５】
以上の説明から明らかなように、この発明によっては、簡単、且つ、直感的に操作することができる。
【図面の簡単な説明】
【００１６】
【図１】一実施形態に係る情報端末１００のブロック構成の一例を示す図である。
【図２】情報端末１００を表面側から見た外形の概略を示す斜視図である。
【図３】情報端末１００を裏面側から見た外形の概略を示す斜視図である。
【図４】情報端末１００を右手で把持する状態を情報端末１００の表面側から見た斜視図である。
【図５】情報端末１００を右手で把持する状態における情報端末１００の裏面側を情報端末１００の表面側から見た透視図である。
【図６】制御動作を説明するフローチャートである。
【図７】情報端末１００の記憶部１０９が記憶する電話帳情報の例を示す説明図である。
【図８】情報端末１００が通常モードにて電話帳表示機能を実行した場合の表示画像の例を示す説明図である。
【図９】情報端末１００がシークレットモードにて電話帳表示機能を実行した場合の表示画面の例を示す説明図である。
【図１０】情報端末１００において第１表示部１０１が表示するユーザ認証を行う際の画面画像の例を示す説明図である。
【図１１】情報端末１００において画像部品の位置を変位させた場合の画面画像の例を示す説明図であり、（ａ）は、画像部品の位置を変位させる前の第１表示部１０１の画面画像を示し、（ｂ）は、画像部品の位置を変位させた後の第１表示部１０１の画面画像を示す。
【図１２】情報端末１００において画面画像をスクロールさせた場合の画面画像の例を示す説明図であり、（ａ）は、画像部品の位置を変位させる前の第１表示部１０１の画面画像を示し、（ｂ）は、画像部品の位置を変位させた後の第１表示部１０１の画面画像を示す。
【図１３】情報端末１００においてスクロール前後の画面画像の例を示す説明図であり、（ａ）は、スクロール前の第１表示部１０１の画面画像を示し、（ｂ）は、スクロール後の、第１表示部１０１の画面画像を示す。
【図１４】情報端末１００におけるスクロール前後の画面画像の他例を示す説明図であり、（ａ）は、スクロール前の第１表示部１０１の画面画像を示し、（ｂ）は、スクロール後の第１表示部１０１の画面画像を示す。
【図１５】情報端末１００におけるスクロール前後の画面画像の他例を示す説明図であり、（ａ）は、スクロール前の第１表示部１０１の画面画像を示し、（ｂ）は、スクロール後の第１表示部１０１の画面画像を示し、（ｃ）は、スクロール前の他の指の位置を示す。
【図１６】情報端末１００におけるスクロール前後の画面画像の他例を示す説明図であり、（ａ）は、スクロール前の第１表示部１０１の画面画像を示し、（ｂ）は、スクロール後の第１表示部１０１の画面画像を示す。
【発明を実施するための形態】
【００１７】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００１８】
図１は、一実施形態に係る情報端末１００のブロック構成の一例を示す。図１に示すように、情報端末１００は、第１表示部１０１、第２表示部１０２、第１タッチセンサ１０３、第２タッチセンサ１０４、音声入力部１０５、音声出力部１０６、無線通信部１０７、制御部１０８、記憶部１０９を備える。制御部１０８は、表示制御部１１０、入力処理部１１１、音声処理部１１２、通信制御部１１３、処理部１１４、アプリケーション処理部１１５を備える。
【００１９】
情報端末１００は、スマートフォンであって、ユーザ操作に応じてインターネットブラウジング（Ｉｎｔｅｒｎｅｔ  Ｂｒｏｗｓｉｎｇ）機能や電子メール機能等の各種機能を提供する。第１表示部１０１は、例えば液晶ディスプレイまたは有機ＥＬ（Ｏｒｇａｎｉｃ  Ｅｌｅｃｔｒｏ−Ｌｕｍｉｎｅｓｃｅｎｃｅ）ディスプレイ等の表示画面を有し、表示制御部１１０の制御に従って動画像や静止画像やテキスト（文字）等の各種画像を表示する。ここでいう表示画面とは、画像を表示するデバイスである。以下では、画像を表示するデバイスとしての画面と、デバイスに表示されている画像としての画面とを区別するために、画像を表示するデバイスを「表示画面」と称し、表示画面に表示されている画像を「画面画像」と称する。第１表示部１０１は、本発明における「表示部」の一例である。
【００２０】
第２表示部１０２は、例えば液晶ディスプレイまたは有機ＥＬ（Ｏｒｇａｎｉｃ  Ｅｌｅｃｔｒｏ−Ｌｕｍｉｎｅｓｃｅｎｃｅ）ディスプレイ等の表示画面を有し、表示制御部１１０の制御に従って動画像や静止画像やテキスト（文字）等の各種画像を表示する。
【００２１】
第１タッチセンサ１０３は、第１表示部１０１の表示画面に設けられ、ユーザのタッチ操作を受け付ける。すなわち、第１タッチセンサ１０３は、第１表示部１０１の表示画面とともにタッチパネルを構成する。第１タッチセンサ１０３は、第１表示部１０１の表示画面へのタッチ操作を検出する。そして、第１タッチセンサ１０３は、タッチ位置（表示画面におけるタッチされた位置）を示す信号を入力処理部１１１に出力する。
【００２２】
第２タッチセンサ１０４は、第２表示部１０２の表示画面に設けられ、ユーザのタッチ操作を受け付ける。すなわち、第２タッチセンサ１０４は、第２表示部１０２の表示画面とともにタッチパネルを構成する。第２タッチセンサ１０４は、情報端末１００に有する図３に示す筐体１２０の裏面に設けられたタッチパッドのタッチセンサである。第２タッチセンサ１０４は、第２表示部１０２の表示画面へのタッチ操作を検出する。そして、第２タッチセンサ１０４は、タッチ位置を示す信号を入力処理部１１１に出力する。
【００２３】
音声入力部１０５は、マイクを有し、周囲の音を採取して音声信号に変換し、音声処理部１１２に出力する。音声出力部１０６は、スピーカを有し、音声処理部１１２からアナログの電気信号にて出力される音声信号を音声に変換して出力する。
【００２４】
無線通信部１０７は、無線基地局と通信を行うことにより、携帯電話通信網（通信事業者によって提供される携帯電話機用の無線通信ネットワーク）に接続する。具体的には、無線通信部１０７は、通信制御部１１３から出力される信号に対して変調処理を行って無線信号にて送信し、また、受信した無線信号に対して復調処理を行って通信制御部１１３に出力する。例えば、無線通信部１０７は、電子メールデータを無線信号にて送受信する。
【００２５】
制御部１０８は、情報端末１００の各部を制御して各種機能を実行する。制御部１０８は、例えば、情報端末１００に有するＣＰＵ（Ｃｅｎｔｒａｌ  Ｐｒｏｃｅｅｓｓｉｎｇ  Ｕｎｉｔ、中央処理装置）が、情報端末１００に有する不図示の各種メモリからプログラムを読み出して実行することにより実現される。
【００２６】
表示制御部１１０は、第１表示部１０１と第２表示部１０２とを制御して、各種画像を各々に表示させる。具体的には、表示制御部１１０は、アプリケーション処理部１１５から出力される動画像データや静止画像データやテキストデータ等に基づいて画面表示用の信号を生成して第１表示部１０１に出力することにより第１表示部１０１に画面画像を表示させる。また、表示制御部１１０は、画面表示用の信号を生成して第２表示部１０２に出力することにより第２表示部１０２に画面画像を表示させる。
【００２７】
入力処理部１１１は、第１タッチセンサ１０３や第２タッチセンサ１０４への操作に応じた検出信号をアプリケーション処理部１１５に出力する。例えば、入力処理部１１１は、第１表示部１０１によって画像部品を表示している状態で、第１表示部１０１の表示画面におけるタッチ位置を示す信号が第１タッチセンサ１０３から出力されると、画像部品に対してタッチされたか否かを判定する。そして、入力処理部１１１は、画像部品にタッチされたと判定すると、タッチされた画像部品を示す情報を処理部１１４に出力する。なお、ここでいう画像部品とは、画面画像を構成する部品としての部分画像である。画像部品とは、例えば、アイコン（ｉｃｏｎ）や、画面画像中に表示されている動画像や静止画像等に該当する。なお、ここでいうアイコンは、ファイル、フォルダ、アプリケーションプログラムあるいは機能等、選択対象ないし指定対象となっている事物を象徴する画像である。
【００２８】
音声処理部１１２は、処理部１１４から出力される音声データを電気信号に変換して音声出力部１０６に出力することにより、音声出力部１０６に音声を出力させる。また、音声処理部１１２は、音声入力部１０５が音声を採取して出力した電気信号を音声データに変換して処理部１１４に出力する。
【００２９】
通信制御部１１３は、処理部１１４から出力されるデータに符号化等の処理を行って、無線通信部１０７に出力して変調させ、無線信号にて送信させる。また、通信制御部１１３は、無線通信部１０７が受信して復調した信号に、復号等の処理を行ってデータを抽出し、処理部１１４に出力する。例えば、通信制御部１１３は、処理部１１４から出力される電子メールデータに符号化等の処理を行って無線通信部１０７に出力し、また、無線通信部１０７が受信して復調した信号に復号等の処理を行って電子メールデータ等のデータを抽出して処理部１１４に出力する。
【００３０】
処理部１１４は、アプリケーションプログラムを実行して、インターネットブラウジング機能や電子メール機能等各種機能を提供する。処理部１１４は、第１タッチセンサ１０３がタッチ操作を検出することにより第１処理を行い、第１タッチセンサ１０３がタッチ操作を検出し、且つ、第２タッチセンサ１０４がタッチ操作を検出することにより第１処理に代えて、第１処理と関連性を有する第２処理を行う。
【００３１】
処理部１１４は、第１表示部１０１の表示する画面画像に画像部品が含まれている場合に、第１タッチセンサ１０３が、その画像部品の位置を変位させる操作としてのタッチ操作を検出すると、画面画像中における画像部品の位置を変位させる処理を、第１処理として行う。また、処理部１１４は、画面画像に画像部品が含まれている場合に、第１タッチセンサ１０３が、その画像部品の位置を変位させる操作としてのタッチ操作を検出し、且つ、第２タッチセンサ１０４が、タッチ操作を検出すると、画面画像をスクロールさせる処理を、第２処理として行う。
【００３２】
また、処理部１１４は、第１タッチセンサ１０３がユーザ認証要求操作としてのタッチ操作を検出するとユーザ認証を行い、認証に成功すると、第１処理として、所定のプログラムからの第１データへのアクセスを許可する処理を行う。そして、処理部１１４は、第１タッチセンサ１０３がユーザ認証要求操作としてのタッチ操作を検出し、且つ、第２タッチセンサ１０４がタッチ操作を検出するとユーザ認証を行い、認証に成功すると、第２処理として、所定のプログラムからの第２データへのアクセスを許可する処理を行う。
【００３３】
さらに、処理部１１４は、第１タッチセンサ１０３がスクロール操作としてのタッチ操作を検出すると、画面画像を、設定されているスクロール量でスクロールさせる処理を、第１処理として行う。また、処理部１１４は、第１タッチセンサ１０３がスクロール操作としてのタッチ操作を検出し、且つ、第２タッチセンサ１０４がタッチ操作を検出すると、スクロール量の設定を変更する処理を、第２処理として行い、且つ、画面画像を、第２処理によって設定されているスクロール量でスクロールさせる処理を、第１処理として行う。
【００３４】
加えて、処理部１１４は、第１タッチセンサ１０３がタッチ操作を検出すると第１処理を行い、第１タッチセンサ１０３がタッチ操作を検出し、且つ、第２タッチセンサ１０４がタッチ操作を検出し、且つ、第１タッチセンサ１０３または第２タッチセンサ１０４の少なくとも一方が複数箇所におけるタッチ操作を検出すると、第２処理に代えて第３処理を行う。第３処理とは、スクロールエンドまでのスクロール量の変更や、特別なシークレットデータの表示のことである。
【００３５】
更に加えて、処理部１１４は、第２タッチセンサ１０４へのタッチ操作によりオブジェクトを指定しながら、第１タッチセンサ１０３による第１表示部１０１におけるオブジェクトを移動させるタッチ操作に基づいてオブジェクトを移動させる処理を行う。
【００３６】
また、処理部１１４は、第２タッチセンサ１０４により特定領域を指定しながら、第１表示部１０１における第１タッチセンサ１０３のスクロールにより、特定領域内でスクロールする処理を行う。
【００３７】
そして、処理部１１４は、第２タッチセンサ１０４によりスクロールバーの位置を指定しながら、第１タッチセンサ１０３のスクロールにより第２タッチセンサ１０４の指定した位置までスクロールする処理を行う。
【００３８】
記憶部１０９は、例えば、情報端末１００に有する各種メモリの記憶領域にて実現され、各種データを記憶する。記憶部１０９は、電話帳情報を記憶する。また、記憶部１０９は、情報端末１００に有するＣＰＵが実行する各種プログラムを予め記憶している。
【００３９】
図２は、情報端末１００を表面側から見た外形の概略を示す斜視図である。図２に示すように、情報端末１００は、筐体１２０を備えている。筐体１２０の表面には、第１表示部１０１の表示画面及び第１タッチセンサ１０３に該当するタッチパネル式の表示画面と、音声入力部１０５のマイクと、音声出力部１０６のスピーカとが設けられている。
【００４０】
図３は、情報端末１００を裏面側から見た外形の概略を示す斜視図である。図３に示すように、情報端末１００の筐体１２０の裏面には、第２表示部１０２の表示画面及び第２タッチセンサ１０４に該当するタッチパネル式の表示画面が設けられている。
【００４１】
図４は、情報端末１００を右手で把持する状態を情報端末１００の表面側から見た斜視図である。図４に示すように、情報端末１００は、ユーザが第１表示部１０１の表示画面の点Ｐ１０１を右手親指でタッチすると、第１タッチセンサ１０３は、そのタッチ操作を検出し、点Ｐ１０１の座標をタッチ位置として出力する。なお、点Ｐ１０１に関しては、小さな面積を有する領域を「点」と称する。例えば、第１タッチセンサ１０３は、メッシュ状の検出点を有し、これらの検出点のうち領域としての点Ｐ１０１に含まれるものの座標を出力する。後述する点Ｐ１０２及び第２タッチセンサ１０４は、同様にして、メッシュ状の検出点を有し、これらの検出点のうち領域としての点Ｐ１０２に含まれるものの座標を出力する。
【００４２】
図５は、情報端末１００を右手で把持する状態における情報端末１００の裏面側を情報端末１００の表面側から見た透視図である。図５に示すように、情報端末１００は、ユーザが第２表示部１０２の表示画面の点Ｐ１０２を右手人差し指でタッチすると、第２タッチセンサ１０４は、そのタッチ操作を検出し、点Ｐ１０２の座標をタッチ位置として出力する。
【００４３】
このように、ユーザは、情報端末１００を片手でつまむように把持して、第１表示部１０１の表示画面と第２表示部１０２の表示画面とにタッチすることができ、第１タッチセンサ１０３と第２タッチセンサ１０４とは、これらのタッチ操作を検出する。なお、図４の点Ｐ１０１と図５の点Ｐ１０２とは、互いに対向する位置であってもよいし、ずれていてもよい。ただし、第１タッチセンサ１０３と第２タッチセンサ１０４とは、上記のタッチ操作に限らず、様々な形態で行われる第１表示部１０１の表示画面と第２表示部１０２の表示画面とへのタッチ操作を検出し得る。様々な形態とは、例えば、ユーザは、情報端末１００を左手で把持し、右手人差し指で第１表示部１０１の表示画面へのタッチ操作を行い、左手人差し指で第２表示部１０２の表示画面へのタッチ操作を行うことである。この場合も、第１タッチセンサ１０３と第２タッチセンサ１０４とは、これらのタッチ操作を検出する。或いは、情報端末１００は、筐体が折り畳み可能であり、筐体を開いた状態で、第１表示部１０１の表示画面と第２表示部１０２の表示画面とが前面側に上下に並んで配置されるようにしてもよい。この場合に、ユーザは、右手人差し指で第１表示部１０１の表示画面へのタッチ操作を行い、また、ユーザは、情報端末１００を左手で把持して左手親指で第２表示部１０２の表示画面へのタッチ操作を行うことができる。この場合も、第１タッチセンサ１０３と第２タッチセンサ１０４とは、これらのタッチ操作を検出する。
【００４４】
図６は、情報端末１００の基本的な制御動作を説明するフローチャートである。図６に示すように、処理部１１４は、制御を開始すると、第１表示部１０１の表示画面における所定のタッチ操作を第１タッチセンサ１０３が検出したか否かを判定する（ステップＳ１０１）。処理部１１４は、ステップＳ１０１の判定結果が「ＮＯ」の場合、処理を終了する。処理部１１４は、ステップＳ１０１の判定結果が「ＹＥＳ」の場合、第２表示部１０２の表示画面へのタッチ操作を第２タッチセンサ１０４が検出したか否かを判定する（ステップＳ１０２）。処理部１１４は、ステップＳ１０２の判定結果が「ＮＯ」の場合、第１処理を行う（ステップＳ１０４）。そして、処理部１１４は、処理を終了する。処理部１１４は、ステップＳ１０２の判定結果が「ＹＥＳ」の場合、第２処理を行う（ステップＳ１０３）。或いは、処理部１１４は、第３処理を行う。そして、処理部１１４は、処理を終了する。
【００４５】
図７は、情報端末１００の記憶部１０９が記憶する電話帳情報の例を示す説明図である。この電話帳情報には、情報端末１００の電話帳表示機能において表示する氏名や電話番号等の情報が含まれている。また、電話帳情報は、情報端末１００が着信履歴等の情報を表示する際に、電話番号を氏名に置き換えて表示するための情報として用いられる。
【００４６】
図７に示すように、電話帳情報は、表形式のデータ構造を有し、各行が１人分のデータに相当する。例えば、行Ｌ１０１、Ｌ１０２、Ｌ１０３には、それぞれＡさん、Ｂさん、Ｃさんのデータが格納されている。この電話帳情報には、氏名や電話番号等のデータに加えて、シークレット指定の有無を示すフラグであるシークレットフラグが含まれている。このシークレットフラグの値「ＹＥＳ」は、シークレット指定されていることを示す。一方、シークレットフラグの値「ＮＯ」は、シークレット指定されていないことを示す。例えば、電話帳情報には、行Ｌ１０２において、Ｂさんのデータがシークレット指定されている。一方、電話帳情報には、行Ｌ１０１とＬ１０３とにおいて、それぞれＡさんのデータとＣさんのデータとは、シークレット指定されていない。これらシークレット指定の有無は、ユーザによって設定されている。
【００４７】
図８は、情報端末１００が通常モードにて電話帳表示機能を実行した場合の表示画像の例を示す説明図である。通常モードは、アプリケーションプログラムからの、シークレット指定されているデータへのアクセスを制限し、シークレット指定されていないデータへのアクセスを許可するモードである。
【００４８】
電話帳表示のアプリケーションプログラムを実行する処理部１１４は、アクセス制限に従って、アクセスを許可されているデータを第１表示部１０１に表示させる。図８に示す例では、処理部１１４は、電話帳表示のアプリケーションプログラムからの、図７においてシークレット指定されていないＡさんのデータおよびＣさんのデータへのアクセスを許可しており、これらＡさんのデータとＣさんのデータとは、領域Ａ１１１とＡ１１２とにそれぞれ表示される。一方、処理部１１４は、電話帳表示のアプリケーションプログラムからの、図７においてシークレット指定されているＢさんのデータへのアクセスを制限している。このため、処理部１１４は、図８に示す画面画像にＢさんのデータを表示しない。
【００４９】
図９は、情報端末１００がシークレットモードにて電話帳表示機能を実行した場合の表示画面の例を示す説明図である。シークレットモードは、アプリケーションプログラムからの、シークレット指定されているデータへのアクセスと、シークレット指定されていないデータへのアクセスとを、いずれも許可するモードである。
【００５０】
図９に示すように、電話帳表示のアプリケーションプログラムを実行する処理部１１４は、シークレット指定されているデータと、シークレット指定されていないデータとのいずれも第１表示部１０１に表示させる。図９に示す例では、処理部１１４は、電話帳表示のアプリケーションプログラムからの、図７においてシークレット指定されていないＡさんのデータおよびＣさんのデータへのアクセスを許可している。同時に、処理部１１４は、図７においてシークレット指定されているＢさんのデータへのアクセスを許可している。そして、表示制御部１１０は、これらＡさんのデータとＢさんのデータとＣさんのデータとを、領域Ａ１２１とＡ１２２とＡ１２３とにそれぞれ表示する。
【００５１】
このとき、ユーザによって第２表示部１０２の第２タッチセンサ１０４へのタッチ操作を複数個所で行った場合、処理部１１４は、第２タッチセンサ１０４へのタッチ操作の数に応じてシークレット指定する秘密度を高いものして処理する。すなわち、処理部１１４は、第２タッチセンサ１０４へのタッチ操作の数を多くした場合、シークレット指定する秘密度を高く設定する。これにより、処理部１１４は、第２タッチセンサ１０４へのタッチ操作を１回行ってシークレット指定したＢさん及びＣさんのデータを表示しない。そして、処理部１１４は、第２タッチセンサ１０４への複数のタッチ操作により、超シークレット指定した他のデータを第１表示部１０１に表示する。
【００５２】
図１０は、情報端末１００において第１表示部１０１が表示するユーザ認証を行う際の画面画像の例を示す説明図である。ユーザは、情報端末１００の使用に際してユーザ認証を行うか否かを予め設定しており、記憶部１０９が設定内容を予め記憶している。そして、処理部１１４は、ユーザ認証を行う設定が為されている場合、電源を接続（ＯＮ）して起動する際や、一定時間（例えば１０分間）使用されず休止モードとなった後に再度使用する際に第１表示部１０１にユーザ認証画面を表示させてパスワード入力を受け付ける処理を行う。
【００５３】
図１０に示すように、入力処理部１１１は、第１表示部１０１によってユーザ認証画面を表示している状態において、「０」〜「９」等のアイコンへのタッチ操作（押ボタンの押下操作）によるパスワード入力操作が行われることによりタッチされたアイコンを検出する。そして、処理部１１４は、検出したアイコンに基づいて、入力されたパスワードを検出する。その後、処理部１１４は、ユーザによって「確定」の押ボタンのアイコンＣ１０１（以下、「確定アイコン」Ｃ１０１と称する。）へのタッチ操作が行われると、入力されたパスワードと、記憶部１０９の予め記憶しているパスワードとが同一か否かを判定することによりユーザ認証を行う。
【００５４】
処理部１１４は、入力されたパスワードと、記憶部１０９の予め記憶するパスワードとが同一であると判定してユーザ認証に成功した場合、実行モードに遷移し、ユーザ操作に応じて、上述した電話帳表示機能など各種機能を実行する。処理部１１４は、実行モードに上記の通常モードとシークレットモードとを有し、ユーザ認証に成功した際、第２タッチセンサ１０４がタッチ操作を検出したか否かに応じていずれかのモードに遷移する。具体的には、処理部１１４は、第１タッチセンサ１０３が確定アイコンＣ２０１へのタッチ操作を検出した際に、第２タッチセンサ１０４が第２表示部１０２の表示画面へのタッチ操作を検出していれば、シークレットモードに遷移する。これに反して、処理部１１４は、第１タッチセンサ１０３が確定アイコンＣ２０１へのタッチ操作を検出した際に、第２タッチセンサ１０４が第２表示部１０２の表示画面へのタッチ操作を検出していなければ、通常モードに遷移する。
【００５５】
一方、処理部１１４は、ユーザ認証に失敗した場合、すなわち、入力されたパスワードと、記憶部１０９の予め記憶するパスワードとが異なると判定した場合、休止モードに遷移し、パスワード入力を再度の待ち受ける。
【００５６】
ここで、処理部１１４は、通常モードへの遷移とシークレットモードへの遷移とが、各種機能を実行する際の２つの処理モードの例である。すなわち、通常モードへの遷移とシークレットモードへの遷移とは、各種機能を、実行要求を受け付けるよう設定する処理によって、その機能のアプリケーションプログラムからの、シークレット設定されていないデータへのアクセスを許可する処理を行う点で共通する。一方、通常モードへの遷移とシークレットモードへの遷移とは、シークレット設定されているデータへのアクセスを許可する処理（設定）を行うか否かにおいて異なる。そして、シークレット設定されていないデータは、第１データに該当し、シークレット設定されていないデータとシークレット設定されているデータとの両方を含むデータは、第２データに該当する。また、アプリケーションプログラムからの第１データへのアクセスを許可する処理は、第１処理に該当し、アプリケーションプログラムからの第２データへのアクセスを許可する処理は、第２処理に該当する。この第１処理と第２処理とは、アプリケーションプログラムからのデータへのアクセスを許可する点で関連性を有し、アクセスを許可するデータにおいて互いに異なる。
【００５７】
図１１は、情報端末１００において画像部品の位置を変位させた場合の画面画像の例を示す説明図であり、図１１（ａ）は、画像部品の位置を変位させる前の第１表示部１０１の画面画像を示し、図１１（ｂ）は、画像部品の位置を変位させた後の第１表示部１０１の画面画像を示す。図１１（ａ）の画面画像には、画像部品の一例であるアイコンＣ２０１と、画面画像のスクロール位置（表示対象の画像全体における画面画像の位置）を示す本発明の「スクロールバー」の一例であるスライドバーＧ１０１とが示されている。また、図１１（ｂ）の画面画像は、図１１（ａ）の画面画像と比較すると、画面画像中におけるアイコンＣ２０１の位置が変位している。一方、図１１（ｂ）における画面画像のスクロール位置は、図１１（ａ）におけるスクロール位置と同じである。このため、アイコンＣ２０１の表示位置が変位し、一方、図１１図（ｂ）におけるスライドバーＧ１０１の位置は、図１１（ａ）におけるスライドバーＧ１０１の位置と同じになっている。
【００５８】
処理部１１４は、第１タッチセンサ１０３によって画像部品Ｃ２０１の位置を変位させる操作としてのタッチ操作を検出し、且つ、第２タッチセンサ１０４によってタッチ操作を検出していない場合に処理を行う。より具体的には、入力処理部１１１は、画像部品Ｃ２０１の位置を変位させる操作として、画像部品Ｃ２０１のドラグ・アンド・ドロップ（Ｄｒｕｇ  Ａｎｄ  Ｄｒｏｐ）が行われると、第１タッチセンサ１０３がタッチ位置を所定の時間間隔で順次検出する。そして、入力処理部１１１は、画像部品Ｃ２０１をドラグ・アンド・ドロップしたことを示す情報と、タッチ位置を示す情報とを、処理部１１４に順次出力する。そして、処理部１１４は、入力処理部１１１から出力された情報に基づいて、画面画像内における画像部品Ｃ２０１の位置の指示を、表示制御部１１０に順次出力する。そして、表示制御部１１０は、処理部１１４から出力された指示に従って、第１表示部１０１の画面画像内における画像部品Ｃ２０１の位置を順次変位させる。
【００５９】
ここで、情報端末１００は、画像部品Ｃ２０１の位置を変位させる操作として様々な操作を用いることができる。情報端末１００は、例えば、上記のように、画像部品Ｃ２０１をドラグ・アンド・ドロップする操作、すなわち、図１１（ａ）の画面画像において、画像部品Ｃ２０１に指をタッチし、表示画面に指をタッチさせたまま、図１１（ｂ）の画面画像における画像部品Ｃ２０１の位置（移動させたい位置）まで指を移動させて表示画面から離す操作を用いることができる。或いは、情報端末１００は、画像部品をフリック（Ｆｌｉｃｋ）する操作、すなわち、図１１（ａ）の画面画像において、画像部品Ｃ２０１に指をタッチし、その指で画像部品Ｃ２０１をはじくように、図１１（ｂ）の画面画像における画像部品Ｃ２０１の位置に向けて（移動させたい向きに向けて）その指で表示画面を擦る操作など、ドラグ・アンド・ドロップ以外の操作を用いるようにしてもよい。
【００６０】
図１２は、情報端末１００において画面画像をスクロールさせた場合の画面画像の例を示す説明図であり、図１２（ａ）は、画像部品の位置を変位させる前の第１表示部１０１の画面画像を示し、図１２（ｂ）は、画像部品の位置を変位させた後の第１表示部１０１の画面画像を示す。なお、図１２（ｂ）における画面画像では、スクロール位置は、図１２（ａ）におけるスクロール位置から変位しており、この点で図１１（ｂ）の場合と異なる。このため、図１２（ｂ）におけるスライドバーＧ１０１の位置は、図１２（ａ）におけるスライドバーの位置から変位している。すなわち、図１１に示したアイコンの移動処理と、図１２に示すスクロール処理とは、アイコンの表示位置を移動させる点で互いに関連性を有する。一方、図１１に示したアイコンの移動処理と、図１２に示すスクロール処理とは、アイコンのみを移動させるか、あるいは、表示画面の表示する画像全体を移動させるかにおいて互いに異なる。
【００６１】
処理部１１４は、第１タッチセンサ１０３によって画像部品Ｃ２０１の位置を変位させる操作としてのタッチ操作を検出し、且つ、第２タッチセンサ１０４によってタッチ操作を検出している場合に処理を行う。より具体的には、入力処理部１１１は、画像部品Ｃ２０１のドラグ・アンド・ドロップが行われると、第１タッチセンサ１０３がタッチ位置を順次検出し、画像部品Ｃ２０１をドラグ・アンド・ドロップしたことを示す情報と、タッチ位置を示す情報とを、処理部１１４に順次出力する。また、入力処理部１１１は、画像部品Ｃ２０１のドラグ・アンド・ドロップが行われる間、第２表示部１０２の表示画面がタッチされており、第２タッチセンサ１０４がタッチ位置を順次検出し、タッチ位置を示す情報を処理部１１４に順次出力する。
【００６２】
処理部１１４は、入力処理部１１１から出力される情報に基づいて、画面画像をスクロールさせる旨の指示（表示対象の画像のうち、画面画像として表示する部分の位置を示す情報）を、表示制御部１１０に順次出力する。そして、表示制御部１１０は、処理部１１４から出力される指示に従って、第１表示部１０１の画面画像をスクロールさせる。
【００６３】
このとき、入力処理部１１１は、第２表示部１０２の第２タッチセンサ１０４へのタッチ操作が複数個所で行われた場合、処理部１１４は、第３処理を行って、第２タッチセンサ１０４への１箇所でのタッチ操作を強調させることにより、第１表示部１０１の画面画像をスクロールエンドまで変位させる。
【００６４】
ここで、図１１における処理と図１２における処理とは、画像部品Ｃ２０１の位置を変位させる処理における２つの処理モードの例である。すなわち、図１１における処理と図１２における処理とは、画像部品Ｃ２０１の表示位置を変位させる処理を行う点で関連性を有し、画像部品Ｃ２０１のみを移動させるか、あるいは、表示画面の表示する画像全体を移動させるかにおいて、互いに異なる。そして、２つの処理モードは、画像部品Ｃ２０１の表示位置を変位させる処理が第１処理に該当し、画面画像をスクロールさせる処理が第２処理に該当する。
【００６５】
図１３は、情報端末１００においてスクロール前後の画面画像の例を示す説明図である。図１３（ａ）は、スクロール前の第１表示部１０１の画面画像を示し、図１３（ｂ）は、スクロール後の、第１表示部１０１の画面画像を示す。図１３において、第１表示部１０１の表示画面は、ウェブページを表示しており、また、表示画面の右側には、スクロール位置を示すスライドバーＧ３０１が表示されている。図１３（ａ）と図１３（ｂ）とは、第１表示部１０１が、同一のウェブページを表示する場合の画面画像を示しているが、スクロール位置（表示対象のウェブページ内における画面画像の位置）が異なる。図１３（ｂ）は、図１３（ａ）におけるスクロール位置から、表示画面の１つ分下にスクロールした場合の画面画像を示している。このため、図１３（ｂ）におけるスライドバーＧ３０１の位置は、図１３（ａ）におけるスライドバーＧ３０１の位置から、スクロール量に応じて下がった位置となっている。
【００６６】
処理部１１４は、第１タッチセンサ１０３によってスクロール操作としてのタッチ操作を検出し、且つ、第２タッチセンサ１０４によってタッチ操作を検出していない場合に処理を行う。図１３（ａ）、（ｂ）に示すように、より具体的には、入力処理部１１１は、スクロール操作として、スライドバーＧ３０１の下側の領域Ｆ３０１へのタッチ操作（タップ）が行われると、第１タッチセンサ１０３によってタッチ位置を検出し、領域Ｆ３０１へのタッチ操作が行われたことを示す情報と、タッチ位置を示す情報とを、処理部１１４に出力する。そして、処理部１１４は、入力処理部１１１から出力された情報に基づいて、画面画像のスクロール位置を、表示画面の１つ分下にする旨の指示を、表示制御部１１０に出力する。そして、表示制御部１１０は、処理部１１４から出力された指示に従って、第１表示部１０１の画面画像のスクロール位置を、表示画面の１つ分下にする。
【００６７】
ここで、情報端末１００は、スクロール操作として様々な操作を用いることができる。例えば、上記のように、情報端末１００は、スライドバーＧ３０１の上または下の領域をタップする操作を用いることができる。あるいは、情報端末１００は、第１表示部１０１が、上スクロールボタンのアイコンと、下スクロールボタンのアイコンとを表示し、これらのアイコンへのタッチ操作をスクロール操作として用いるようにしてもよい。
【００６８】
図１４は、情報端末１００におけるスクロール前後の画面画像の他例を示す説明図であり、図１４（ａ）は、スクロール前の第１表示部１０１の画面画像を示し、図１４（ｂ）は、スクロール後の第１表示部１０１の画面画像を示す。この場合、情報端末１００は、図１３の場合と同様、第１表示部１０１の表示画面は、ウェブページを表示しており、また、表示画面の右側には、スクロール位置を示すスライドバーＧ３０１を表示している。そして、図１４（ａ）と図１４（ｂ）とにおいて、第１表示部１０１が、同一のウェブページを表示する場合の画面画像を示している点、および、スクロール位置（表示対象のウェブページ内における画面画像の位置）が異なる点も、図１３の場合と同様である。ただし、図１４では、スクロール量は、図１３の場合と異なる。図１４（ｂ）は、図１４（ａ）におけるスクロール位置から、表示画面の５つ分下にスクロールした場合の画面画像を示している。このため、図１４（ｂ）におけるスライドバーＧ３０１の位置は、図１４（ａ）におけるスライドバーＧ３０１の位置から、スクロール量に応じて下がった位置となっている。そして、図１４では、スクロール量は、図１３の場合よりも多い分、スライドバーＧ３０１の下がる量も多くなっている。
【００６９】
処理部１１４は、第１タッチセンサ１０３によってスクロール操作としてのタッチ操作を検出し、且つ、第２タッチセンサ１０４によってタッチ操作を検出している場合に処理を行う。より具体的には、入力処理部１１１は、スクロール操作として、スライドバーＧ３０１の下側の領域Ｆ３０１へのタッチ操作（タップ）が行われると、第１タッチセンサ１０３によってタッチ位置を検出し、領域Ｆ３０１へのタッチ操作が行われたことを示す情報と、タッチ位置を示す情報とを、処理部１１４に出力する。また、入力処理部１１１は、領域Ｆ３０１へのタッチ操作が行われた際、第２表示部１０２の表示画面がタッチされており、第２タッチセンサ１０４によってタッチ位置を検出し、タッチ位置を示す情報を処理部１１４に出力する。そして、処理部１１４は、入力処理部１１１から出力された情報に基づいて、画面画像のスクロール位置を、表示画面の５つ分下にする旨の指示を、表示制御部１１０に出力する。そして、表示制御部１１０は、処理部１１４から出力された指示に従って、第１表示部１０１の画面画像のスクロール位置を、表示画面の５つ分下にする。
【００７０】
ここで、図１３における処理と図１４における処理とは、第１表示部１０１の画面画像をスクロールさせる処理における２つの処理モードの例である。すなわち、図１３における処理と図１４における処理とは、第１表示部１０１の画面画像をスクロールさせる処理を行う点で関連性を有し、スクロール量において異なる。そして、処理部１１４は、第１表示部１０１の画面画像を表示画面の１つ分下にスクロールさせる処理を第１処理とし、第１表示部１０１の画面画像を第１処理と異なるスクロール量として表示画面の５つ分下にスクロールさせる処理を第２処理として処理する。
【００７１】
図１５は、情報端末１００におけるスクロール前後の画面画像の他例を示す説明図であり、図１５（ａ）は、スクロール前の第１表示部１０１の画面画像を示し、図１５（ｂ）は、スクロール後の第１表示部１０１の画面画像を示し、図１５（ｃ）は、スクロール前の他の指の位置を示す。この場合、情報端末１００は、第１表示部１０１の表示画面は、図１４と同様に、本発明における「オブジェクト」の一例である地図を表示している。
【００７２】
処理部１１４は、第１タッチセンサ１０３によってスクロール操作としてのタッチ操作を検出し、且つ、第２タッチセンサ１０４によってタッチ操作を検出している場合に処理を行う。図１５（ａ）に示すように、より具体的には、処理部１１４は、第２表示部１０２の第２タッチセンサ１０４へのタッチ操作により第１表示部１０１における地図に対応した特定領域Ｐ２０２を指定する。図１５（ｂ）に示すように、処理部１１４は、第１表示部１０１の第１タッチセンサ１０３の移動量に応じて地図のスクロール量を設定する。図１５（ｃ）に示すように、処理部１１４は、第１表示部１０１の第１タッチセンサ１０３へのタッチ操作は、地図上ではなくてもよく、第１表示部１０１上の任意の位置でよい。このとき、処理部１１４は、第２表示部１０２の第２タッチセンサ１０４へのタッチ操作がない場合、第１表示部１０１の第１タッチセンサ１０３のスクロール量に対応して第１表示部１０１の地図をスクロールする。
【００７３】
図１６は、情報端末１００におけるスクロール前後の画面画像の他例を示す説明図であり、図１６（ａ）は、スクロール前の第１表示部１０１の画面画像を示し、図１６（ｂ）は、スクロール後の第１表示部１０１の画面画像を示す。この場合、情報端末１００は、第１表示部１０１の表示画面は、本発明における「オブジェクト」の一例である地図を表示している。
【００７４】
処理部１１４は、第１タッチセンサ１０３によってスクロール操作としてのタッチ操作を検出し、且つ、第２タッチセンサ１０４によってタッチ操作を検出している場合に処理を行う。図１６（ａ）、（ｂ）に示すように、より具体的には、処理部１１４は、第２表示部１０２の第２タッチセンサ１０４へのタッチ操作により第１表示部１０１におけるスライドバーＧ４０１、Ｇ４０２に対応した位置を指定した場合、第１表示部１０１の第１タッチセンサ１０３による地図のスクロール量を、スライドバーＧ４０１、Ｇ４０２の範囲に設定して処理を行う。この場合、処理部１１４は、地図をスクロール移動させるのに代えて、スライドバーＧ４０１からスライドバーＧ４０２まで、地図を直接移動させる処理を行うこともできる。なお、スライドバーＧ４０１、４０２は、必ずしも必要ではなく、処理部１１４は、第２表示部１０２の第２タッチセンサ１０４の所定の位置への指定により地図の移動を直接行うことができる。
【００７５】
以上説明したように、情報端末１００によれば、処理部１１４は、地図等のオブジェクトの移動と画面スクロールの使い分け、全画面スクロールと一部画面スクロールの使い分けの操作を簡単、且つ、直感的にすることができる。
【００７６】
また、情報端末１００によれば、処理部１１４は、第２タッチセンサ１０４への特定のタッチ操作により第３処理を行うことにより、複数の使い分けを簡単に処理することができる。
【００７７】
そして、情報端末１００によれば、処理部１１４は、第３処理により、第１表示部１０１の画面画像をスクロールエンドまで変位させることにより、第２タッチセンサ１０４への１箇所でのタッチ操作を強調させることができる。
【００７８】
そしてまた、情報端末１００によれば、処理部１１４は、第３処理により、第２タッチセンサ１０４への複数のタッチ操作により、シークレット指定のレベルを超シークレットレベルまで上げてプライバシーの強化を図ることができる。
【００７９】
さらに、情報端末１００によれば、処理部１１４は、第２タッチセンサ１０４により特定領域を指定しながら、第１表示部１０１における第１タッチセンサ１０３のスクロールにより、特定領域内でスクロールすることにより、スクロールをし易くできる。
【００８０】
加えて、情報端末１００によれば、処理部１１４は、第２タッチセンサ１０４によりスライドバーＧ４０１、Ｇ４０２の位置を指定しながら、第１タッチセンサ１０３のスクロールにより第２タッチセンサ１０４の指定した位置までスクロールするために、ユーザの取り扱い性を向上できる。
【００８１】
タッチ操作処理方法によれば、処理部１１４は、地図等のオブジェクトの移動と画面スクロールの使い分け、全画面スクロールと一部画面スクロールの使い分けの操作を簡単、且つ、直感的にすることができる。
【００８２】
プログラムによれば、処理部１１４は、地図等のオブジェクトの移動と画面スクロールの使い分け、全画面スクロールと一部画面スクロールの使い分けの操作を簡単、且つ、直感的にすることができる。
【００８３】
なお、情報端末、タッチ操作処理方法及びプログラムは、前述した第１の実施形態に限定するものでなく、適宜な変形や改良等が可能である。
【符号の説明】
【００８４】
１００  情報端末
１０１  第１表示部
１０２  第２表示部
１０３  第１タッチセンサ
１０４  第２タッチセンサ
１０５  音声入力部
１０６  音声出力部
１０７  無線通信部
１０８  制御部
１０９  記憶部
１１０  表示制御部
１１１  入力処理部
１１２  音声処理部
１１３  通信制御部
１１４  処理部
１１５  アプリケーション処理部
１２０  筐体
Ａ１１１、Ａ１１２、Ａ１２１、Ａ１２２、Ａ１２３、Ｆ３０１  領域
Ｃ１０１  確定アイコン
Ｃ２０１  確定アイコン
Ｇ１０１、Ｇ３０１、Ｇ４０１、Ｇ４０２  スライドバー
Ｌ１０１、Ｌ１０２、Ｌ１０３  行
Ｐ１０２  点
Ｐ２０２  特定領域
【図１】
2014222379.tif 000003
【図２】
2014222379.tif 000004
【図３】
2014222379.tif 000005
【図４】
2014222379.tif 000006
【図５】
2014222379.tif 000007
【図６】
2014222379.tif 000008
【図７】
2014222379.tif 000009
【図８】
2014222379.tif 000010
【図９】
2014222379.tif 000011
【図１０】
2014222379.tif 000012
【図１１】
2014222379.tif 000013
【図１２】
2014222379.tif 000014
【図１３】
2014222379.tif 000015
【図１４】
2014222379.tif 000016
【図１５】
2014222379.tif 000017
【図１６】
2014222379.tif 000018